(57)【特許請求の範囲】
【請求項１】
シリンダブロックＢとオイルシールケース１の間にパッキン２を介装し、該パッキン２とオイルシールケース１のオイルシール取付孔の内周とによりオイル溜まりＡを形成する構成において、前記オイルシールケース１のオイルシールを内嵌する孔の内周に、オイル溜まりの溝１１を形成し、前記パッキン２の内径は、オイル溜まりの溝１１よりも小径に構成したことを特徴とする内燃機関のオイルシール潤滑装置。
【発明の詳細な説明】
【０００１】
【発明の属する技術分野】
本発明は、内燃機関のクランク軸とシリンダブロックの間の軸受支持部における、オイルシール潤滑装置に関する。
【０００２】
【従来の技術】
従来から、内燃機関のオイルシールの構造については、実開昭５５−１２７１６２号公報の如き技術が公知とされているのである。
しかし、上記従来の内燃機関のオイルシール構造は、ラジアルタイプである為に、オイルシールのリップとクランクシャフトの当りが線に近いものとなり、シリンダブロック内部からの跳ね掛け程度の潤滑油量で充分であった。
また、スラストメタルにも油溝があり、メインスラスト軸受メタルを通った油がスラストメタルの油溝を通りオイルシール部へ注油されていた。
【０００３】
しかし、オイルシールをアキシャルタイプとした場合には、クランク軸の側に固定されたスリンガーがオイルシールケース内径と略同じ径であり、リップ部に潤滑油が入り難い構造となっており、潤滑油の不足が発生し、リップ部の摩耗が問題となっていた。
【０００４】
【発明が解決しようとする課題】
本発明においては、オイルシールケース１とシリンダブロックＢの間に介装するパッキン２に堰をつけることにより、オイルシールの機能と潤滑油の滞留と注油機能を持たせるものである。
また、オイルシールケース１の側のオイルシールを内嵌する孔の内周にオイル溜まりの溝１１を穿つことにより、オイル溜まりを構成したものである。
【０００５】
【課題を解決するための手段】
本発明の解決しようとする課題は以上の如くであり、次に該課題を解決するための手段を説明する。
シリンダブロックＢとオイルシールケース１の間にパッキン２を介装し、該パッキン２とオイルシールケース１のオイルシール取付孔の内周とによりオイル溜まりＡを形成する構成において、前記オイルシールケース１のオイルシールを内嵌する孔の内周に、オイル溜まりの溝１１を形成し、前記パッキン２の内径は、オイル溜まりの溝１１よりも小径に構成したものである。
【０００６】
【発明の実施の形態】
図１はパッキン２によりオイル溜まりＡを構成した実施例の正面図、
図２は図１のパッキン２の構成を示す側面図、
図３はオイルシールケース１の下部にオイル溜まりＡを構成する為に閉塞板３を固定した実施例の正面図である。
【０００７】
図４はボルト又はビス４により固定した状態の閉塞板３を示す側面図、
図５は閉塞板３とオイル溜まりＡの構成を示すオイルシールケース１の正面断面図である。
【０００８】
図６はオイルシールケース１にオイル溜まりＡを設けた構成を示す正面図、
図７は同じくオイル溜まりＡを設けたオイルシールケース１の正面断面図、
図８は同じくオイル溜まりＡを設けたオイルシールケース１の側面図である。
【０００９】
図１と図２において、パッキン２にオイル溜まりＡを設けた構成について説明する。
本発明のオイルシールＯは、クランク軸５の外端部の周囲に嵌装すべく構成している。該クランク軸５にコンロッド１２の下端が枢結されており、該クランク軸５の外端がシリンダブロックＢの軸受孔に介装した軸受メタル６により軸受支持されている。
【００１０】
該軸受メタル６は、シリンダブロックＢの下面にメタル支持体１４を締結ボルト１５により締付けて軸受支持している。該軸受メタル６は２つ割に構成されており、一方はシリンダブロックＢの軸受メタル６の嵌入孔に嵌装されて、他方はメタル支持体１４に嵌装されており、該メタル支持体１４をシリンダブロックＢの側に締結ボルト１５により締結することにより、半割の２つの軸受メタル６が一体となって、クランク軸５の周囲を軸受支持する一体的な軸受メタル６となるのである。
【００１１】
そして、該軸受メタル６の部分においては、潤滑油シール構造とすることは出来ないので、該シリンダブロックＢの外側で、クランク軸５の外周に嵌合するようにオイルシールケース１を付設し、該オイルシールケース１の内部にオイルシールＯを設けているのである。
【００１２】
該オイルシールＯは、オイルシールケース１と、鉄板により構成されたスリンガー８の部分と、ゴム製リップ７とダストシール９と、ゴム製リップ７とダストシール９を支持する支持板１０により構成されている。
該スリンガー８の部分はクランク軸５の外周に圧入されており、該クランク軸５と共に回転する鉄板製のドーナツ板である。そして、ゴム製リップ７とダストシール９の部分が、支持板１０を介してオイルシールケース１の内周に固定され、クランク軸５と共に回転することのない部分である。
【００１３】
故に、ゴム製リップ７がスリンガー８の垂直面の外側のアキシャル面に接当し、ダストシール９の部分がスリンガー８のラジアル面に接当している。
該スリンガー８の外周は、オイルシールケース１の内周と近い位置まで突出されているので、スリンガー８とゴム製リップ７の間に、潤滑油が到達しないという不具合があったのである。故に、本発明においては、該スリンガー８の外周を越えて、ゴム製リップ７の部分に潤滑油が至るように、オイルシールケース１の下部の内周部分に、パッキン２の突出部により堰２ａを構成して、オイル溜まりＡを設けたものである。
【００１４】
また、該パッキン２の材料としてソフトメタルを使用することにより、オイルシール取付面をラフな加工であるダイカストの無加工面に構成して、該パッキン２により、このダイカストの粗い表面にソフトメタルを接触させて、潤滑油の漏油を阻止することが出来るのである。
【００１５】
次に図３と図４に示す、実施例を説明する。
該実施例においては、スリンガー８とゴム製リップ７の部分に注油する為に、オイル溜まりＡを構成する技術は同じであるが、図１と図２の実施例の場合と相違して、図４と図５に示す如く、閉塞板３を設けて、該オイルシールケース１の下部に堰止め部を構成している。該閉塞板３は２本のボルト又はビス４により固定している。
【００１６】
また、図６と図７と図８に示す実施例においても、オイルシールケース１の下部にオイル溜まりＡを作るという構成は同じである。
しかし、該実施例においては、オイルシールケース１の下部に、オイル溜まりの溝１１を構成している。該オイルシールケース１には、オイルシールＯを嵌入する孔の内径で、スリンガー８やゴム製リップ７を嵌装する部分の外周に、オイル溜まりの溝１１が構成されている。該オイル溜まりの溝１１を設けただけでは、オイル溜まりＡを構成できないので、パッキン２を介装し、該パッキン２の内径はオイル溜まりの溝１１よりも小径に構成している。
【００１７】
以上の如く構成したので、オイルシールケース１の内径部分の内周にオイル溜まりの溝１１を設け、該オイル溜まりの溝１１よりもやや内径まで、パッキン２の内径を突出させることにより、オイル溜まりの溝１１とパッキン２により、円周上にオイル溜まりＡを構成することが出来るのである。オイルシールケース１はシリンダブロックＢに固定されていて回転しない部分であるから、内周の全域にオイル溜まりＡを構成しても、重力により潤滑油が下降すると、該オイル溜まりＡには溜まらないのであるが、実際にはクランク軸５が回転しているので、遠心力で外方へ跳ね飛ばされる潤滑油が、内径の全周に配置したオイル溜まりＡに溜まるのである。
【００１８】
【発明の効果】
本発明は以上の如く構成したので、次のような効果を奏するのである。
第１に、シリンダブロックＢとオイルシールケース１の間に介在させたパッキン２により、オイル溜まりＡを形成したので、オイルシールケース１とシリンダブロックＢの間のパッキン２に堰部分を設けることにより、シール機能と注油機能を、パッキン２に持たせることができるので、オイルシールＯの焼きつきを阻止することが出来たのである。
【００１９】
第２に、シリンダブロックＢとオイルシールケース１の間に介在させたパッキン２によりオイル溜まりＡを形成し、該オイル溜まりＡは、オイルシールケース１の下部に形成したので、オイルシールケース１とシリンダブロックＢの間に、パッキン２を挟んだ状態で固定するだけで、オイル溜まりＡを構成することができ、オイルシールＯのゴム製リップ７の部分の焼きつきを阻止する構成とすることが簡単にできるのである。
【００２０】
第３に、シリンダブロックＢとオイルシールケース１の間に介在させたパッキン２によりオイル溜まりＡを形成した内燃機関のオイルシール潤滑装置において、オイルシールケース１の下部にオイル溜まりＡを形成し、かつオイルシール取付孔の内周にオイル溜まりの溝１１を形成したので、従来のラジアルタイプのオイルシールＯに出来るだけ近い状態の注油条件にして、ゴム製リップ７の焼きつきを阻止することが出来たのである。
また、従来のラジアルタイプと同じオイルシールケースの取付方向とすることが出来たのである。
【図面の簡単な説明】
【図１】  パッキン２によりオイル溜まりＡを構成した実施例の正面図。
【図２】  図１のパッキン２の構成を示す側面図。
【図３】  オイルシールケース１の下部にオイル溜まりＡを構成する為に閉塞板３を固定した実施例の正面図。
【図４】  ボルト又はビス４により固定した状態の閉塞板３を示す側面図。
【図５】  閉塞板３とオイル溜まりＡの構成を示すオイルシールケース１の正面断面図。
【図６】  オイルシールケース１にオイル溜まりＡを設けた構成を示す正面図。
【図７】  オイルシールケース１にオイル溜まりＡを設けた構成を示す正面断面図。
【図８】  同じくオイル溜まりＡを設けたオイルシールケース１の側面図。
【符号の説明】
Ａ  オイル溜まり
Ｏ  オイルシール
１  オイルシールケース
２  パッキン
２ａ  堰
３    閉塞板
４    ボルト又はビス
５    クランク軸
６    軸受メタル
７    ゴム製リップ
８    スリンガー
９    ダストシール
１１  オイル溜まりの溝
【図１】
0003727398.tif 000002
【図２】
0003727398.tif 000003
【図３】
0003727398.tif 000004
【図４】
0003727398.tif 000005
【図５】
0003727398.tif 000006
【図６】
0003727398.tif 000007
【図７】
0003727398.tif 000008
【図８】
0003727398.tif 000009